(57)【要約】【課題】デジタルカメラで撮影した画像データ等についてパソコンやデジタルプリント機を操作することなく、簡易な構成により、画像データの管理、閲覧、および写真現像店への注文を容易に可能とする。【解決手段】表紙部１０と、インデックスプリント部２０と、画像データを記録した光記録媒体３０と、該光記録媒体を収容する収容部４０と、を備え、画像データ全体に対して付与される識別番号を第一の識別番号、画像データ個々に対して付与される識別番号を第二の識別番号として、表紙部１０には、第一の識別番号１１が印字され、インデックスプリント部２０には、画像データのインデックス画像２１と第二の識別番号２２とが関連付けられて印刷され、収容部４０に収容される光記録媒体３０には、画像データが第二の識別番号と関連付けられて記録されるとともに、レーベル面に第一の識別番号３１が印字される。【選択図】図１
2014003474.tif 000002
【特許請求の範囲】
【請求項１】
デジタルカメラにより撮影された画像データ、またはプリントされた写真をデジタル化した画像データに基づいて作成される前記画像データのインデックスプリントアルバムであって、
表紙部と、
インデックスプリント部と、
前記画像データを記録した光記録媒体と、
該光記録媒体を収容する収容部と、を備え、
前記画像データ全体に対して付与される識別番号を第一の識別番号、前記画像データ個々に対して付与される識別番号を第二の識別番号として、
前記表紙部には、前記第一の識別番号が印字され、
前記インデックスプリント部には、前記画像データのインデックス画像と前記第二の識別番号とが関連付けられて印刷され、
前記収容部に収容される前記光記録媒体には、前記画像データが前記第二の識別番号と関連付けられて記録されるとともに、レーベル面に前記第一の識別番号が印字されている
ことを特徴とするインデックスプリントアルバム。
【請求項２】
前記収容部は、当該インデックスプリントアルバムの背表紙であることを特徴とする請求項１に記載のインデックスプリントアルバム。
【請求項３】
前記表紙部には、前記インデックスプリント部に印刷される前記インデックス画像の全部または一部の縮小画像が印刷されている
ことを特徴とする請求項１または２に記載のインデックスプリントアルバム。
【請求項４】
外部記録媒体に記録された画像データを読み込む画像データ読込部と、
前記画像データ読込部により読み込まれた前記画像データ全体に対して第一の識別番号を付与する第一の識別番号付与部および前記画像データ個々に対して第二の識別番号を付与する第二の識別番号付与部を有する制御部と、
所定サイズの記録媒体に前記第一の識別番号を印字して表紙部を作成する表紙印刷部と、
所定サイズの記録媒体に前記画像データのインデックス画像と前記第二の識別番号とを関連付けてインデックスプリント部を印刷するインデックスプリント印刷部と、
光記録媒体に前記画像データを前記第二の識別番号と関連付けて記録するとともに、レーベル面に前記第一の識別番号を印字する光記録媒体書込部と、
所定サイズの記録媒体に前記第一の識別番号を印字して収容部を作成する収容部印刷部と、を備えることを特徴とするインデックスプリントアルバムの製造装置。
【請求項５】
前記表紙部と、前記インデックスプリント部と、前記光記録媒体を収容した前記収容部と、を、この順で重ね合わせて製本する製本部を備えたことを特徴とする請求項４に記載のインデックスプリントアルバムの製造装置。
【請求項６】
外部記録媒体に記録された画像データを読み込む画像データ読込処理と、
前記画像データ読込処理により読み込まれた前記画像データ全体に対して第一の識別番号を付与し、かつ、前記画像データ個々に対して第二の識別番号を付与する制御処理と、
所定サイズの記録媒体に前記第一の識別番号を印字して表紙部を作成する表紙印刷処理と、
所定サイズの記録媒体に前記画像データのインデックス画像と前記第二の識別番号とを関連付けてインデックスプリント部を印刷するインデックスプリント印刷処理と、
光記録媒体に前記画像データを前記第二の識別番号と関連付けて記録するとともに、レーベル面に前記第一の識別番号を印字する光記録媒体書込処理と、
所定サイズの記録媒体に前記第一の識別番号を印字して収容部を作成する収容部印刷処理と、
前記表紙部と、前記インデックスプリント部と、前記光記録媒体を収容した前記収容部と、を、この順で重ね合わせて製本する製本処理と、
を行うことを特徴とするインデックスプリントアルバムの製造方法。
【発明の詳細な説明】
【技術分野】
【０００１】
本発明は、インデックスプリントアルバム、インデックスプリントアルバムの作成装置およびインデックスプリントアルバムの作成方法に関する。
【背景技術】
【０００２】
デジタルカメラは従来の銀塩カメラと異なり、撮影者（以下、ユーザ）は、撮影後にデジタルカメラを操作して、デジタルカメラの表示部に撮影した画像データを表示させることができ、ユーザは、表示された画像データを確認して、不要な画像データ等については削除することが可能となっている。
【０００３】
また、デジタルカメラに収容可能な外部記録媒体（ＳＤカード、ＳＤＨＣカード、コンパクトフラッシュ（登録商標）、メモリースティック、ＭｉｃｒｏＳＤカードなどをいう）を自宅のパーソナルコンピュータ（以下、パソコンともいう）や、写真現像店や家電量販店の店頭等に設けられているデジタルプリント機に挿入等して、撮影した画像データの管理、閲覧、印刷を行うことが可能となっており、自宅のプリンタや店頭のデジタルプリント機を用いて撮影した画像データのすべてではなく、プリントを希望する画像データだけを選択してプリントすることが可能となっている。
【０００４】
また、カメラ機能付き携帯電話、スマートフォン等の携帯情報端末で撮影された画像データについても同様に携帯情報端末上で画像データの閲覧、削除等の管理が可能となっており、パソコンやデジタルプリント機に直接接続したり、収容されている外部記録媒体を挿入等したりして、画像データの管理、閲覧、印刷が可能となっている。以下、本明細書におけるデジタルカメラには、カメラ機能付きの携帯情報端末も含むものとし、外部記録媒体に記録された画像データには、カメラ機能付きの携帯情報端末で撮影された画像データも含むものとする。
【０００５】
ところで、銀塩カメラ（特に、ＡＰＳ（アドバンストフォトシステム）カメラなど）では、撮影した画像の一覧をインデックスプリントとして印刷し、ユーザは、インデックスプリントに基づいて写真現像店へプリントする画像を指定することが一般的であった。これをデジタルカメラで撮影された画像データへ適用し、デジタルカメラで撮影した画像データについて、撮影順に一覧表示したインデックスプリントを出力する装置（特許文献１参照）や、所定の条件に基づいてインデックスアルバム冊子を作成する装置（特許文献２参照）が知られている。
【発明の概要】
【発明が解決しようとする課題】
【０００６】
しかしながら、デジタルカメラやその外部記録媒体をパソコンに接続し、パソコンの操作によりプリンタから所望の画像データを印刷することや、店頭などに設置されているデジタルプリント機を操作して、所望の画像データを選択して印刷することは、パソコンや機械の操作に慣れていないユーザにとっては難しいという問題がある。
【０００７】
このようなパソコンや機械の操作に慣れていないユーザは、写真現像店に外部記録媒体を持ち込んで注文を行うケースが多いが、記録されている全画像データのプリントを注文すると、プリント枚数が多くなりすぎてしまうという問題がある。また、デジタルカメラの表示部に表示される画像の表示順（１枚目・・・ｎ枚目など）で写真現像店に注文しようとするケースもあり、表示順と外部記録媒体の画像データのファイル名との関連が不明確であると、写真現像店側での現像が煩雑、困難となるという問題も生じている。
【０００８】
また、このようなパソコンや機械の操作に慣れていないユーザは、デジタルカメラの外部記録媒体に大量の撮影画像データを溜めこんだ状態のまま印刷を行うことなく、放置しているケースも少なくない。また、デジタルカメラの外部記録媒体の容量が一杯になると、外部記録媒体を新しいメディアと交換して、外部記録媒体のまま保存するケースや、デジタルカメラを操作して画像データを消しながら１枚の外部記録媒体の使用を継続しているケースも少なくない。
【０００９】
このような点について、デジタルカメラで撮影した画像データについてインデックスプリントを用いた管理が考えられるが、上記特許文献では、作成されるインデックスプリントと画像データとの関連性が不明確であり、上述したパソコンや機械操作に慣れていないユーザにとっては、所望の画像データを印刷し、かつ、適切な画像データの管理を行うことは困難であることが想定される。
【００１０】
また、パソコンや機械操作に慣れていないユーザにとっては、銀塩カメラで撮影され、プリントされた写真画像をスキャナー等を用いてデジタル化して、画像データとして管理することも困難である。
【００１１】
そこで本発明は、デジタルカメラで撮影した画像データやプリントされた写真をデジタル化した画像データについてパソコンやデジタルプリント機を操作することなく、簡易な構成により、画像データの管理、閲覧、および写真現像店への注文を容易に可能とすることができるインデックスプリントアルバム、インデックスプリントアルバムの作成装置およびインデックスプリントアルバムの作成方法を提供することを目的とする。
【課題を解決するための手段】
【００１２】
かかる目的を達成するため、本発明に係るインデックスプリントアルバムは、デジタルカメラにより撮影された画像データ、またはプリントされた写真をデジタル化した画像データに基づいて作成される画像データのインデックスプリントアルバムであって、表紙部と、インデックスプリント部と、画像データを記録した光記録媒体と、該光記録媒体を収容する収容部と、を備え、画像データ全体に対して付与される識別番号を第一の識別番号、画像データ個々に対して付与される識別番号を第二の識別番号として、表紙部には、第一の識別番号が印字され、インデックスプリント部には、画像データのインデックス画像と第二の識別番号とが関連付けられて印刷され、収容部に収容される光記録媒体には、画像データが第二の識別番号と関連付けられて記録されるとともに、レーベル面に第一の識別番号が印字されているものである。
【００１３】
また、本発明に係るインデックスプリントアルバムの作成装置は、外部記録媒体に記録された画像データを読み込む画像データ読込部と、画像データ読込部により読み込まれた画像データ全体に対して第一の識別番号を付与する第一の識別番号付与部および画像データ個々に対して第二の識別番号を付与する第二の識別番号付与部を有する制御部と、所定サイズの記録媒体に第一の識別番号を印字して表紙部を作成する表紙印刷部と、所定サイズの記録媒体に画像データのインデックス画像と第二の識別番号とを関連付けてインデックスプリント部を印刷するインデックスプリント印刷部と、光記録媒体に画像データを第二の識別番号と関連付けて記録するとともに、レーベル面に第一の識別番号を印字する光記録媒体書込部と、所定サイズの記録媒体に第一の識別番号を印字して収容部を作成する収容部印刷部と、を備えるものである。
【００１４】
また、本発明に係るインデックスプリントアルバムの作成方法は、外部記録媒体に記録された画像データを読み込む画像データ読込処理と、画像データ読込部により読み込まれた画像データ全体に対して第一の識別番号を付与し、かつ、画像データ個々に対して第二の識別番号を付与する制御処理と、所定サイズの記録媒体に第一の識別番号を印字して表紙部を作成する表紙印刷処理と、所定サイズの記録媒体に画像データのインデックス画像と第二の識別番号とを関連付けてインデックスプリント部を印刷するインデックスプリント印刷処理と、光記録媒体に画像データを第二の識別番号と関連付けて記録するとともに、レーベル面に第一の識別番号を印字する光記録媒体書込処理と、所定サイズの記録媒体に第一の識別番号を印字して収容部を作成する収容部印刷処理と、表紙部と、インデックスプリント部と、光記録媒体を収容した収容部と、を、この順で重ね合わせて製本する製本処理と、を行うようにしたものである。
【発明の効果】
【００１５】
本発明によれば、デジタルカメラで撮影した画像データ等についてパソコンやデジタルプリント機を操作することなく、簡易な構成により、画像データの管理、閲覧、および写真現像店への注文を容易に可能とすることができる。
【図面の簡単な説明】
【００１６】
【図１】本実施形態に係るインデックスプリントアルバムの斜視図である。
【図２】インデックスプリントアルバムの表紙部を示す模式図である。
【図３】インデックスプリントアルバムのインデックスプリント部を示す模式図である。
【図４】インデックスプリントアルバムの光記録媒体を示す模式図である。
【図５】（Ａ）インデックスプリントアルバムの収容部を示す模式図の一例、（Ｂ）インデックスプリントアルバムの収容部を示す模式図の他の例である。
【図６】本実施形態に係るインデックスプリントアルバムの製造装置の機能ブロック図である。
【図７】インデックスプリントアルバムの収容部を示す展開図である。
【図８】くるみ製本による製本過程（１）を示す模式図である。
【図９】くるみ製本による製本過程（２）を示す模式図である。
【発明を実施するための形態】
【００１７】
以下、本発明に係る構成を図１から図９に示す実施の形態に基づいて詳細に説明する。
【００１８】
（インデックスプリントアルバム）
本実施形態に係るインデックスプリントアルバム（インデックスプリントアルバム１）は、デジタルカメラにより撮影された画像データ、またはプリントされた写真をデジタル化した画像データに基づいて作成される画像データのインデックスプリントアルバムであって、表紙部（表紙部１０）と、インデックスプリント部（インデックスプリント部２０）と、画像データを記録した光記録媒体（光記録媒体３０）と、該光記録媒体を収容する収容部（収容部４０）と、を備え、画像データ全体に対して付与される識別番号を第一の識別番号、画像データ個々に対して付与される識別番号を第二の識別番号として、表紙部には、第一の識別番号（第一の識別番号１１）が印字され、インデックスプリント部には、画像データのインデックス画像（インデックス画像２１）と第二の識別番号（第二の識別番号２２）とが関連付けられて印刷され、収容部に収容される光記録媒体には、画像データが第二の識別番号と関連付けられて記録されるとともに、レーベル面に第一の識別番号（第一の識別番号３１）が印字されているものである（図１〜図５参照）。なお、括弧内は実施形態での符号、適用例を示す。
【００１９】
先ず、図１から図５を参照してインデックスプリントアルバムの一実施形態を説明する。ここで、図１は、インデックスプリントアルバム１の斜視図、図２はインデックスプリントアルバム１の表紙部１０を示す模式図、図３はインデックスプリント部２０を示す模式図、図４は光記録媒体３０を示す模式図、図５（Ａ），（Ｂ）は光記録媒体３０を収容部４０に収容した状態を示す模式図である。また、図２から図５に示した各部を製本することにより、図１に示すインデックスプリントアルバム１は完成する。
【００２０】
［表紙部］
図２に示すように、表紙部１０には、「１２３４５６７８９」なる数値が印字されている。これは、デジタルカメラの外部記録媒体の画像データ全体（全部の画像データ）に対して、１つ付与される識別番号１１（以下、第一の識別番号という）である。
【００２１】
また、表紙部１０には、タイトル１２を印字するようにしても良い。このタイトル１２は、画像データの内容等に応じて、ユーザ所望のタイトルを印字するようにしても良いし、図２に示すように「Ｉｎｄｅｘ  Ｐｈｏｔｏ  Ｂｏｏｋ」等の固定したタイトルであっても良い。
【００２２】
また、表紙部１０には、画像データのインデックス画像の縮小画像１３を印刷することも好ましい。本実施形態では、縦１０×横１０の計１００コマの縮小画像１３を印刷可能としているが、表紙部１０への縮小画像１３の印刷コマ数はこれに限られるものではなく、ユーザに視認可能な大きさで任意のコマ数を印刷するようにすれば良い。また、例えば、画像データの総数が表示部１０への印刷可能コマ数を上回る場合は、ランダムに縮小画像１３を表示するようにしても、画像データ個々に付される識別番号（後述する第二の識別番号）の昇順等で選択的に印刷するようにしても良い。
【００２３】
このように、表紙部１０に画像データのインデックス画像の縮小画像１３を印刷することで、ユーザはインデックスプリントアルバム１の表紙を見るだけで、画像データの内容を一目で認識することが可能となる。
【００２４】
［インデックスプリント部］
図３に示すように、インデックスプリント部２０には、各画像データのインデックス画像２１が印刷される。
【００２５】
インデックス画像２１は、原則として外部記録媒体に記録されているすべての画像データについて作成されるものであり、インデックスプリント部２０は、図３に示すように画像データ数（ファイル数）に応じて複数ページ作成される。
【００２６】
なお、インデックス画像２１は、原則として外部記録媒体に記録されているすべての画像データについて作成されるものであるが、ユーザにより指定、選択可能としても良い。また、画像データはデジタルカメラで撮影され外部記録媒体に記録されている画像データに限らず、プリントされた写真画像をスキャニング等することでデジタルの画像データに変換し、ＵＳＢメモリやハードディスク等の記録媒体に記録されている画像データであっても良い。
【００２７】
本実施形態では、１ページに縦４×横３の計１２コマのインデックス画像２１を印刷可能としている。したがって、例えば、画像データ数が１００の場合、インデックスプリント部２０は９ページ作成されることとなる。
【００２８】
なお、インデックスプリント部２０の各ページへのインデックス画像２１の印刷コマ数はこれに限られるものではなく、ユーザに視認可能な大きさで任意のコマ数を印刷するようにすれば良い。また、各インデックス画像２１の近傍に、ユーザがメモ等を記せるような空白部（不図示である）を設けても良い。
【００２９】
また、各インデックス画像２１には、個々の画像データに対して付与される識別番号２２（以下、第二の識別番号という）が関連づけて印字される。なお、個々の画像データを示す第二の識別番号２２は、対応するインデックス画像２１にオーバレイさせて印字するものであっても良いし、対応するインデックス画像２１の近傍（下部、上部など）に印字させるものであっても良い。
【００３０】
なお、第二の識別番号２２は、デジタルカメラ側で付与される画像ファイル名を用いるものであっても良いし、新たに所定の規則に従って付与される識別番号を付与するものであっても良く、１の第一の識別番号に対して、第二の識別番号の重複がなければよい。
【００３１】
なお、インデックスプリント部２０は、片面印刷であっても両面印刷であってもよい。また、インデックスプリント部２０の最初のページを表紙部１０の裏面に印刷するようにしても良い。
【００３２】
［光記録媒体］
図４に示す光記録媒体３０には、外部記録媒体に記録されている画像データのすべて記録されている。光記録媒体３０としては、例えば、ＤＶＤ、ＣＤ、ブルーレイディスクなどを用いることができるが、記憶容量および普及度等を考慮するとＤＶＤを用いることが最も好ましい。なお、光記録媒体３０への記録の際には、各画像データは、第二の識別番号と関連付けられて記録されるものである。また、光記録媒体３０への画像データの記録形式は、特に限られるものではないが、例えば、１６ベース（３０７２×２０４８画像）で記録するようにすれば良い。
【００３３】
また、光記録媒体３０のレーベル面には、第一の識別番号３１が印字される。また、併せてタイトル３２を印字することも好ましい。
【００３４】
［収容部］
図５に示すように、収容部４０は、光記録媒体３０を収容可能な紙製の袋体であって、その表面には、例えば、図５（Ａ）に示すように、第一の識別番号４１およびタイトル４２が印字されていることが好ましい。また、光記録媒体３０の輪郭をイメージしたライン４３を印刷して、光記録媒体３０が封入されていることを明確にすることも好ましい。また、光記録媒体３０の記録面を保護するための保護シート（不図示）等を有することも好ましい。また、例えば、図５（Ｂ）に示すように、光記録媒体３０の輪郭をイメージしたライン４３とその旨のコメント部４４を印刷するようにしても良い。コメント部４４には、光記録媒体３０が封入されていることの注意書きや、写真現像店への注文方法等を記載することができる。なお、図５（Ｂ）の例において、第一の識別番号４１およびタイトル４２を任意の位置に印字するようにしても良いのは勿論である。
【００３５】
以上説明した表紙部１０、インデックスプリント部２０、光記録媒体３０を収容した収容部４０を公知の製本技術を用いて製本することにより図１に示すようなインデックスプリントアルバム１が作成される。なお、収容部４０はインデックスプリントアルバム１の背表紙を兼ねていることで、インデックスプリントアルバム１の構成をより簡易なものとすることができる。なお、符号６０は製本テープを示している。
【００３６】
なお、インデックスプリントアルバム１の大きさ（寸法）は、収容部４０を光記録媒体３０が隙間なく収容可能な大きさとし、収容部４０の大きさに併せた大きさとすることで、コンパクトなインデックスプリントアルバム１とすることができる。
【００３７】
なお、外部記録媒体の容量は近年飛躍的に増加しており、例えば、ＤＶＤメディアの記録容量を上回る外部記録媒体も多いため、外部記録媒体に記録されている画像データの総容量が１枚の光記録媒体に収容しきれないケースも存在する。このような場合には、収容部４０を複数にして、複数の光記録媒体３０を収容可能としても良いし、インデックスプリントアルバム１自体を複数冊作成するようにしても良い。また、ユーザの用途によっては、画像データの解像度を下げて１枚の光記録媒体３０に収容するようにしても良い。
【００３８】
また、インデックスプリント部２０の枚数が増加して、インデックスプリントアルバム１の厚みが大きくなりすぎる場合も同様に、インデックスプリントアルバム１自体を複数冊作成するようにしても良い。この場合は、第一の識別番号を、例えば「１２３４５６７８９−１」、「１２３４５６７８９−２」等として識別可能な番号を付与するようにすれば良い。
【００３９】
このように構成されたインデックスプリントアルバム１によれば、ユーザは、パソコンやデジタルプリント機等を操作することなく、撮影したすべての画像データを確認しながら、実際にプリントを行いたい画像を選択することができる。換言すれば、インデックスプリントアルバム１は、撮影したすべての画像データのカタログ的な役割を果たすものとなる。したがって、パソコンや機械の操作に不慣れなユーザであっても、デジタルカメラで撮影した画像データをそのまま放置したりすることなく、印刷を希望する画像データについて簡易に写真現像店への注文を行うことが可能となる。
【００４０】
また、光記録媒体３０に撮影した画像データはすべて記録されるので、ユーザは、安心して外部記録媒体の画像データを削除して、新たな撮影を行うことができる。また、銀塩カメラ等で撮影されプリントされた写真画像をスキャニング等することでデジタル化した画像データについて、同様にインデックスプリントアルバムを作成することによれば、未整理の状態の過去の撮影画像についても整理して、管理することが可能となる。
【００４１】
なお、写真現像店へのプリントを行う画像の注文は、写真現像店に光記録媒体３０（またはインデックスプリントアルバム１自体）を預けるとともに、例えば、インデックスプリントアルバム１と併せて、ファイル名（第二の識別番号である）を一覧にした注文票等を作成しておき、ユーザに注文票の所定欄に注文枚数を記載してもらうようにしても良い。また、インデックスプリントアルバム１に注文用のページを追加して、記載してもらうようにしても良い。
【００４２】
（インデックスプリントアルバムの製造装置）
次に、インデックスプリントアルバム１の製造装置について説明する。図６は、本実施形態に係るインデックスプリントアルバムの製造装置１００の機能ブロック図である。
【００４３】
［装置構成］
インデックスプリントアルバムの製造装置１００は、外部記録媒体（外部記録媒体５０）に記録された画像データを読み込む画像データ読込部（画像データ読込部１１０）と、画像データ読込部により読み込まれた画像データ全体に対して第一の識別番号を付与する第一の識別番号付与部（第一の識別番号付与部１２１）および画像データ個々に対して第二の識別番号を付与する第二の識別番号付与部（第二の識別番号付与部１２２）を有する制御部（制御部１２０）と、所定サイズの記録媒体（用紙）に第一の識別番号を印字して表紙部を作成する表紙印刷部（表紙印刷部１３０）と、所定サイズの記録媒体に画像データのインデックス画像と第二の識別番号とを関連付けてインデックスプリント部を印刷するインデックスプリント印刷部（インデックスプリント印刷部１４０）と、光記録媒体に画像データを第二の識別番号と関連付けて記録するとともに、レーベル面に第一の識別番号を印字する光記録媒体書込部（光記録媒体書込部１５０）と、所定サイズの記録媒体に第一の識別番号を印字して収容部を作成する収容部印刷部（収容部印刷部１６０）と、を備えるものである。なお、インデックスプリントアルバムの製造装置１００は、例えば、演算手段（ＣＰＵ）、記録手段（ＲＡＭ、ＲＯＭなど）、入出力Ｉ／Ｆ、光記録媒体書込手段（ＤＶＤドライブなど）等を備えた公知の情報処理装置（パーソナルコンピュータ等）および印刷装置（レーザプリンタ、インクジェットプリンタ等）で構成することができる。
【００４４】
画像データ読込部１１０は、デジタルカメラで撮影された画像データが記録されている外部記録媒体５０を読み込んで、記録された画像データを取り込むものである。
【００４５】
制御部１２０は、画像データ読込部１１０で読み込んだ画像データ全体に対し、１の識別番号（第一の識別番号）を付与する第一の識別番号付与部１２１と、該画像データ読込部１１０で読み込んだ個々の画像データに対し、識別番号（第二の識別番号）を付与する第二の識別番号付与部１２２と、を備えており、第一および第二の識別番号を付与する。
【００４６】
制御部１２０は、表紙印刷部１３０を制御して、第一の識別番号１１と、タイトル１２と、読み込んだ画像データのインデックス画像の縮小画像１３と、を所定の用紙に印刷させて、図２に示したような表紙部１０を出力させる。
【００４７】
また、制御部１２０は、インデックスプリント印刷部１４０を制御して、読み込んだ画像データのインデックス画像２１と、第二の識別番号２２とを関連づけて所定の用紙に印刷させて、図３に示したようなインデックスプリント部２０を出力させる。
【００４８】
また、制御部１２０は、光記録媒体書込部１５０を制御して、情報が記録されていない光記録媒体に、読み込んだ画像データと第二の識別番号とを関連づけて記録させるとともに、そのレーベル面に第一の識別番号３１と、タイトル３２と、を印字させて、図４に示したような光記録媒体３０を作製させる。
【００４９】
また、制御部１２０は、収容部印刷部１６０を制御して、第一の識別番号４１と、タイトル４２と、ライン４３を所定の用紙に印刷させて、図７に示すような収容部４０を出力させる。収容部４０は、インデックスプリント部２０の１ページの横２倍の用紙の左面に、例えば、図５（Ａ）に示したように、第一の識別番号４１、タイトル４２およびライン４３を印刷したものである。
【００５０】
また、インデックスプリントアルバムの製造装置１００は、製本部１７０を備えていることが好ましい。製本部１７０は、表紙部１０と、インデックスプリント部２０と、光記録媒体３０を収容した収容部４０と、を製本して、インデックスプリントアルバム１を完成させる。なお、製本は、インデックスプリントアルバムの製造装置１００から出力された各部１０，２０，４０について手作業で行うものであっても良い。
【００５１】
製本部１７０による製本方法について説明する。製本部１７０は、図７に示す展開された状態の収容部４０を２つ折りにし、下部をテープ止め、糊づけ等することで袋体とし、袋部分に光記録媒体３０を挿入して収容させる。
【００５２】
この状態から表紙部１０と複数枚のインデックスプリント部２０と収容部４０とを、この順に重ね合わせて、左側部分を糊づけ、製本テープ６０等により留めることによりインデックスプリントアルバム１を製本する（図１）。
【００５３】
なお、製本部１７０による製本方法は、上述の方法に限られるものではなく、例えば、リング製本を行うものであっても良い。
【００５４】
なお、インデックスプリントアルバム１は、インデックスプリント部２０のページ数によって厚み（背表紙幅）が異なるため、例えば、くるみ製本を行う場合は、図８に示すように、インデックスプリント部２０の横２倍プラス背表紙幅分の用紙７０を用意し、左右から背表紙の位置に折り目線７１を入れ、さらに、折り目線の左右数ミリの部分に切り取り線７２を入れて表紙部１０、インデックスプリント部２０、収容部４０をくるみ製本し、その後、図９に示すように、切り取り線７２より用紙７０を切り取るようにすればよい。最後に、製本テープ６０を貼り付け完成となる（図１）。
【００５５】
また、インデックスプリントアルバムの製造装置１００は、不図示の注文票印刷部を備えることも好ましい。注文票印刷部は、第二の識別番号に基づいて、注文票を印刷するものである。
【００５６】
（インデックスプリントアルバムの注文）
最後に、インデックスプリントアルバム１を用いたユーザと写真現像店の注文フローを説明する。
【００５７】
以上説明したインデックスプリントアルバムの製造装置１００は、例えば写真現像店に設けられ、ユーザはデジタルカメラの外部記録媒体５０を写真現像店の店頭で渡すことで、インデックスプリントアルバムの製造装置１００によりインデックスプリントアルバム１が作成され、ユーザに渡される。
【００５８】
ユーザは、作成されたインデックスプリントアルバム１を閲覧しながら、プリントする画像ファイルを検討し、例えば、注文票に記入した上で、写真現像店にインデックスプリントアルバム１を注文票と共に渡す。
【００５９】
写真現像店は、注文票に基づいて、インデックスプリントアルバム１の光記録媒体３０に記録されている該当する画像データをプリントし、ユーザに渡せばよく、写真現像店側で画像データの管理等を行う必要はない。
【００６０】
以上のステップにより、ユーザは、所望の画像データのプリントを得ることができる。このようにユーザは、パソコンやデジタルプリント機を操作することなく、デジタルカメラで撮影した画像データについて、所望の写真プリントを得ることができる。
【００６１】
尚、上述の実施形態は本発明の好適な実施の例ではあるがこれに限定されるものではなく、本発明の要旨を逸脱しない範囲において種々変形実施可能である。
【符号の説明】
【００６２】
１  インデックスプリントアルバム
１０  表紙部
１１  第一の識別番号
１２  タイトル
１３  縮小画像
２０  インデックスプリント部
２１  インデックス画像
２２  第二の識別番号
３０  光記録媒体
３１  第一の識別番号
３２  タイトル
４０  収容部
４１  第一の識別番号
４２  タイトル
４３  ライン
４４  コメント部
５０  外部記録媒体
６０  製本テープ
７０  用紙（くるみ製本時）
７１  折り目線
７２  切り取り線
１００  インデックスプリントアルバムの製造装置
１１０  画像データ読込部
１２０  制御部
１２１  第一の識別番号付与部
１２２  第二の識別番号付与部
１３０  表紙印刷部
１４０  インデックスプリント印刷部
１５０  光記録媒体書込部
１６０  収容部印刷部
１７０  製本部
【先行技術文献】
【特許文献】
【００６３】
【特許文献１】特開２００５−１１９０８３号公報
【特許文献２】特開２００７−３１８４６１号公報
【図１】
2014003474.tif 000003
【図２】
2014003474.tif 000004
【図３】
2014003474.tif 000005
【図４】
2014003474.tif 000006
【図５】
2014003474.tif 000007
【図６】
2014003474.tif 000008
【図７】
2014003474.tif 000009
【図８】
2014003474.tif 000010
【図９】
2014003474.tif 000011